(57)【要約】【課題】異なる出力装置間でのコンテンツの続き再生処理を利便良く実現することが可能なコンテンツ再生システム、コンテンツ再生方法および出力装置を提供する。【解決手段】ＴＶ装置１において再生されたコンテンツが出力されているときに、ＴＶ装置１において所定のユーザがいなくなったと判断された場合、そのユーザについてのコンテンツの再生履歴情報７１がＴＶ装置１内へ記憶される。その後、ＴＶ装置２においてこのユーザが出現したと判断されると、そのユーザについての再生履歴情報７１が、各装置間の接続方式情報６１を考慮した手法を用いてＴＶ装置１から取得される。そして、再生履歴情報７１と接続方式情報６１とを用いて、再生されてＴＶ装置１へ出力されていたコンテンツが、引き続き再生されて接続方式情報６１を考慮した手法によってＴＶ装置２へ出力されるように、ＨＤＤレコーダ４に対して再生命令が行われる。【選択図】図５
2011239244.tif 000002
【特許請求の範囲】
【請求項１】
互いにデータの送受信がなされるように接続された、１または複数の再生装置と、複数の出力装置とを備え、
前記再生装置が、コンテンツを再生する再生部を有し、
前記複数の出力装置のうちの一の出力装置が、
前記再生部により再生されたコンテンツをユーザへ出力するための第１の出力部と、
ユーザの在否を検出する第１のユーザ検出部と、
前記第１のユーザ検出部による検出結果に基づいて所定のユーザがいなくなったと判断された場合に、そのユーザについての前記再生装置におけるコンテンツの再生履歴情報を、自身の装置内または前記再生装置内へ記憶させる記憶制御部と
を有し、
前記複数の出力装置のうちの他の一の出力装置が、
前記再生部により再生されたコンテンツをユーザへ出力するための第２の出力部と、
ユーザの在否を検出する第２のユーザ検出部と、
前記第２のユーザ検出部による検出結果に基づいて前記所定のユーザが出現したと判断された場合に、そのユーザについての前記再生履歴情報を、各装置間の接続方式情報を考慮した手法を用いて前記一の出力装置または前記再生装置から取得する再生情報取得部と、
前記再生情報取得部により取得された再生履歴情報と、前記接続方式情報とを用いて、前記再生部により再生されて前記第１の出力部へ出力されていたコンテンツが、前記再生部により引き続き再生されて前記接続方式情報を考慮した手法によって前記第２の出力部へ出力されるように、前記再生部に対して再生命令を行う再生制御部と
を有する
コンテンツ再生システム。
【請求項２】
前記再生制御部は、前記再生履歴情報の記憶時から所定時間遡って続き再生が開始されるように、前記再生命令を行う
請求項１に記載のコンテンツ再生システム。
【請求項３】
各出力装置は、
前記再生装置と各出力装置との間が複数種類の接続方式で個別に接続されている場合に、そのうちの一の接続方式を選択すると共に、
前記再生装置において再生されたコンテンツがその選択された接続方式によって各出力装置へ出力されるように制御する
請求項１または請求項２に記載のコンテンツ再生システム。
【請求項４】
各出力装置は、前記再生装置と自身との間の接続距離を考慮して、前記複数種類の接続方式としてのネットワーク方式およびＨＤＭＩ方式のうちの一方を選択する
請求項３に記載のコンテンツ再生システム。
【請求項５】
前記一の出力装置は、
前記所定のユーザがいなくなったと判断された場合に、そのユーザに対応するコンテンツの再生が中断されるように前記再生部に対して中断命令を行う中断制御部を有する
請求項１または請求項２に記載のコンテンツ再生システム。
【請求項６】
前記他の一の出力装置は、
コンテンツの続き再生を行うか否かを選択するための画面を表示する表示部を有する
請求項５に記載のコンテンツ再生システム。
【請求項７】
前記表示部は、前記所定のユーザについての複数の再生履歴情報のうちの１つに対応するコンテンツの続き再生を行うか否かを選択するための画面を表示する
請求項６に記載のコンテンツ再生システム。
【請求項８】
前記一の出力装置は、
前記再生履歴情報を、各ユーザのユーザ情報と対応付けて記憶する再生情報記憶部を有し、
前記他の一の出力装置は、
前記接続方式情報を含む装置情報を記憶する装置情報記憶部を有する
請求項１または請求項２に記載のコンテンツ再生システム。
【請求項９】
前記再生装置は、前記再生履歴情報を、各ユーザのユーザ情報と対応付けて記憶する再生情報記憶部を有する
請求項１または請求項２に記載のコンテンツ再生システム。
【請求項１０】
前記一の出力装置は、各ユーザのユーザ情報を記憶し、
前記再生装置は、前記再生履歴情報を記憶する
請求項１または請求項２に記載のコンテンツ再生システム。
【請求項１１】
互いにデータの送受信がなされるように接続された１または複数の再生装置と複数の出力装置とのうちの前記再生装置において、コンテンツを再生し、
前記複数の出力装置のうちの一の出力装置において、
前記再生装置において再生されたコンテンツをユーザへ出力すると共に、ユーザの在否を検出し、
ユーザの在否の検出結果に基づいて所定のユーザがいなくなったと判断された場合に、そのユーザについての前記再生装置におけるコンテンツの再生履歴情報を、自身の装置内または前記再生装置内へ記憶させ、
前記複数の出力装置のうちの他の一の出力装置において、
ユーザの在否を検出し、
ユーザの在否の検出結果に基づいて前記所定のユーザが出現したと判断された場合に、そのユーザについての前記再生履歴情報を、各装置間の接続方式情報を考慮した手法を用いて前記一の出力装置または前記再生装置から取得し、
取得した再生履歴情報と前記接続方式情報とを用いて、前記再生装置において再生されて前記一の出力装置へ出力されていたコンテンツが、前記再生装置において引き続き再生されて前記接続方式情報を考慮した手法によって前記他の一の出力装置へ出力されるように、前記再生装置に対して再生命令を行う
コンテンツ再生方法。
【請求項１２】
互いにデータの送受信がなされるように接続された１または複数の再生装置と複数の出力装置とのうちの前記再生装置において再生されたコンテンツをユーザへ出力するための出力部と、
ユーザの在否を検出するユーザ検出部と、
前記ユーザ検出部による検出結果に基づいて所定のユーザが出現したと判断された場合に、そのユーザについての前記再生装置におけるコンテンツの再生履歴情報を、各装置間の接続方式情報を考慮した手法を用いて、前記複数の出力装置のうちの一の出力装置または前記再生装置から取得する再生情報取得部と、
前記再生情報取得部により取得された再生履歴情報と、前記接続方式情報とを用いて、前記再生装置において再生されて前記一の出力装置へ出力されていたコンテンツが、前記再生装置において引き続き再生されて前記接続方式情報を考慮した手法によって前記出力部へ出力されるように、前記再生装置に対して再生命令を行う再生制御部と
を備えた出力装置。
【発明の詳細な説明】
【技術分野】
【０００１】
本発明は、コンテンツの再生装置および出力装置を用いてコンテンツの再生・出力を行うコンテンツ再生システムおよびコンテンツ再生方法、ならびにそのようなコンテンツ再生システムに適用される出力装置に関する。
【背景技術】
【０００２】
従来、例えばある部屋内に設置された電子機器を用いてユーザがコンテンツを視聴した場合、その後にユーザが他の部屋に移動したときには、コンテンツの選択や再生位置のサーチ等の設定を最初から改めて行う必要があり、ユーザにとって非常に使いづらいものであった。
【０００３】
そこで、このようにユーザが部屋を移動した場合に、移動先の部屋においてコンテンツの継続視聴を可能にする手法（続き再生処理）が提案されている（例えば、特許文献１，２参照）。この手法を用いることにより、ユーザは部屋を移動しても同じコンテンツの再生を続きから楽しむことができ、ユーザの利便性を高めることが可能となる。
【先行技術文献】
【特許文献】
【０００４】
【特許文献１】特許第４０５９２１４号公報
【特許文献２】特許第３６５８８９６号公報
【発明の概要】
【発明が解決しようとする課題】
【０００５】
ところが、これらの特許文献１，２等で提案されている従来の手法では、続き再生処理を行うためには、ユーザは専用の操作機器（リモコン等）を常に持ち運ぶ必要があったため、その点では非常に面倒であった。また、そのような操作機器を持ち運ぶことから、例えば風呂やトイレ等では利用できない（利用しにくい）という問題もあった。
【０００６】
更に、従来の手法では、例えば再生装置と同じ部屋内において電子機器によりコンテンツを視聴する場合においても、ネットワーク接続経由にて再生する必要がある等、常に同じサーバ接続型のサービスでしか対応できなかった。このため、例えば同じ部屋内において再生装置と電子機器との間がローカル接続されている場合には、再生時にユーザに不便を強いることになり、利用の際の自由度が低いという問題もあった。
【０００７】
このように、従来の続き再生処理では、異なる電子機器（出力装置）間でのコンテンツの続き再生処理を利便良く実現することが困難であったため、実現する手法の提案が望まれていた。
【０００８】
本発明はかかる問題点に鑑みてなされたもので、その目的は、異なる出力装置間でのコンテンツの続き再生処理を利便良く実現することが可能なコンテンツ再生システム、コンテンツ再生方法および出力装置を提供することにある。
【課題を解決するための手段】
【０００９】
本発明のコンテンツ再生システムは、互いにデータの送受信がなされるように接続された、１または複数の再生装置と、複数の出力装置とを備えたものである。この再生装置は、コンテンツを再生する再生部を有している。上記複数の出力装置のうちの一の出力装置は、再生部により再生されたコンテンツをユーザへ出力するための第１の出力部と、ユーザの在否を検出する第１のユーザ検出部と、第１のユーザ検出部による検出結果に基づいて所定のユーザがいなくなったと判断された場合に、そのユーザについての再生装置におけるコンテンツの再生履歴情報を、自身の装置内または再生装置内へ記憶させる記憶制御部とを有している。また、上記複数の出力装置のうちの他の一の出力装置は、再生部により再生されたコンテンツをユーザへ出力するための第２の出力部と、ユーザの在否を検出する第２のユーザ検出部と、第２のユーザ検出部による検出結果に基づいて上記所定のユーザが出現したと判断された場合に、そのユーザについての再生履歴情報を、各装置間の接続方式情報を考慮した手法を用いて上記一の出力装置または再生装置から取得する再生情報取得部と、再生情報取得部により取得された再生履歴情報と接続方式情報とを用いて、再生部により再生されて第１の出力部へ出力されていたコンテンツが、再生部により引き続き再生されて接続方式情報を考慮した手法によって第２の出力部へ出力されるように、再生部に対して再生命令を行う再生制御部とを有している。
【００１０】
本発明のコンテンツ再生方法は、互いにデータの送受信がなされるように接続された１または複数の再生装置と複数の出力装置とのうちの再生装置において、コンテンツを再生し、上記複数の出力装置のうちの一の出力装置において、再生装置において再生されたコンテンツをユーザへ出力すると共にユーザの在否を検出し、このユーザの在否の検出結果に基づいて所定のユーザがいなくなったと判断された場合に、そのユーザについての再生装置におけるコンテンツの再生履歴情報を、自身の装置内または再生装置内へ記憶させ、上記複数の出力装置のうちの他の一の出力装置において、ユーザの在否を検出し、このユーザの在否の検出結果に基づいて上記所定のユーザが出現したと判断された場合に、そのユーザについての再生履歴情報を、各装置間の接続方式情報を考慮した手法を用いて上記一の出力装置または再生装置から取得し、取得した再生履歴情報と接続方式情報とを用いて、再生装置において再生されて上記一の出力装置へ出力されていたコンテンツが、再生装置において引き続き再生されて接続方式情報を考慮した手法によって上記他の一の出力装置へ出力されるように、再生装置に対して再生命令を行うようにしたものである。
【００１１】
本発明のコンテンツ再生システムおよびコンテンツ再生方法では、再生装置においてコンテンツが再生され、出力装置において、その再生されたコンテンツがユーザへ出力される。ここで、一の出力装置において再生されたコンテンツが出力されているときに、ユーザの在否の検出結果に基づいて所定のユーザがいなくなったと判断された場合には、そのユーザについてのコンテンツの再生履歴情報が、一の出力装置の装置内または再生装置内へ記憶される。その後、他の一の出力装置において、ユーザの在否の検出結果に基づいて上記所定のユーザが出現したと判断されると、そのユーザについての再生履歴情報が、各装置間の接続方式情報を考慮した手法を用いて、上記一の出力装置または再生装置から取得される。そして、取得された再生履歴情報と接続方式情報とを用いて、再生されて上記一の出力装置へ出力されていたコンテンツが、引き続き再生されて接続方式情報を考慮した手法によって上記他の一の出力装置へ出力されるように、再生装置に対して再生命令が行われる。このようにして、従来のように専用の操作機器（リモコン等）を用いることなく、各装置間の接続方式を考慮した手法により、異なる出力装置間でのコンテンツの続き再生処理がなされる。
【００１２】
本発明の出力装置は、互いにデータの送受信がなされるように接続された１または複数の再生装置と複数の出力装置とのうちの再生装置において再生されたコンテンツをユーザへ出力するための出力部と、ユーザの在否を検出するユーザ検出部と、このユーザ検出部による検出結果に基づいて所定のユーザが出現したと判断された場合に、そのユーザについての再生装置におけるコンテンツの再生履歴情報を、各装置間の接続方式情報を考慮した手法を用いて、上記複数の出力装置のうちの一の出力装置または再生装置から取得する再生情報取得部と、この再生情報取得部により取得された再生履歴情報と接続方式情報とを用いて、再生装置において再生されて上記一の出力装置へ出力されていたコンテンツが、再生装置において引き続き再生されて接続方式情報を考慮した手法によって出力部へ出力されるように、再生装置に対して再生命令を行う再生制御部とを備えたものである。
【００１３】
本発明の出力装置では、出力部において、再生装置において再生されたコンテンツがユーザへ出力される。ここで、ユーザの在否の検出結果に基づいて所定のユーザが出現したと判断されると、そのユーザについての再生履歴情報が、各装置間の接続方式情報を考慮した手法を用いて、複数の出力装置のうちの一の出力装置または再生装置から取得される。そして、取得された再生履歴情報と接続方式情報とを用いて、再生されて上記一の出力装置へ出力されていたコンテンツが、引き続き再生されて接続方式情報を考慮した手法によって出力部へ出力されるように、再生装置に対して再生命令が行われる。このようにして、従来のように専用の操作機器（リモコン等）を用いることなく、各装置間の接続方式を考慮した手法により、異なる出力装置間でのコンテンツの続き再生処理がなされる。
【発明の効果】
【００１４】
本発明のコンテンツ再生システム、コンテンツ再生方法および出力装置によれば、ユーザの在否の検出結果に基づいて所定のユーザが出現したと判断された場合に、そのユーザについての再生履歴情報を、各装置間の接続方式情報を考慮した手法を用いて取得すると共に、取得した再生履歴情報と接続方式情報とを用いて、再生されて一の出力装置へ出力されていたコンテンツが、引き続き再生されて接続方式情報を考慮した手法によって他の一の出力装置（出力部）へ出力されるように、再生命令を行うようにしたので、従来のように専用の操作機器を用いることなく、各装置間の接続方式を考慮した手法により、異なる出力装置間でのコンテンツの続き再生処理を行うことができる。よって、異なる出力装置間でのコンテンツの続き再生処理を利便良く実現することが可能となる。
【図面の簡単な説明】
【００１５】
【図１】本発明の第１の実施の形態に係るコンテンツ再生システムの構成を表すブロック図である。
【図２】ユーザ情報の初期登録処理の一例を表す流れ図である。
【図３】装置情報の初期収集処理の一例を表す流れ図である。
【図４】装置情報の一例を表す模式図である。
【図５】第１の実施の形態に係るコンテンツの続き再生処理の一例を表す流れ図である。
【図６】図５におけるＴＶ装置１側の処理の詳細を説明するための流れ図である。
【図７】互いに対応付けて保持されるユーザ情報および再生履歴情報の一例を表す模式図である。
【図８】図５におけるＴＶ装置２側の処理の詳細を説明するための流れ図である。
【図９】図８における一部の処理の一例を抜き出して表わす流れ図である。
【図１０】第２の実施の形態に係るコンテンツの続き再生処理の一例を表す流れ図である。
【図１１】第３の実施の形態に係るコンテンツの続き再生処理の一例を表す流れ図である。
【図１２】続き再生処理を行うか否かを選択するための表示画面の一例を表す模式図である。
【図１３】複数の再生履歴情報のうちの１つを選択して続き再生処理を行うための表示画面の一例を表す模式図である。
【図１４】図１３に続いて表示される表示画面の一例を表す模式図である。
【図１５】図１４に続いて表示される表示画面の一例を表す模式図である。
【図１６】第４の実施の形態に係るコンテンツ再生システムの構成を表すブロック図である。
【図１７】第４の実施の形態に係るコンテンツの続き再生処理の一例を表す流れ図である。
【図１８】図１７におけるＴＶ装置２側の処理の詳細例に対応する図８における一部の処理の他の例を抜き出して表わす流れ図である。
【図１９】変形例１に係るコンテンツの続き再生処理の一例を表す流れ図である。
【発明を実施するための形態】
【００１６】
以下、本発明の実施の形態について、図面を参照して詳細に説明する。なお、説明は以下の順序で行う。
１．第１の実施の形態（ユーザが１人の場合の続き再生処理の例）
２．第２の実施の形態（２人のユーザが別々の部屋へ移動して続き再生処理を行う例）
３．第３の実施の形態（表示画面上で選択して続き再生処理を開始させる例）
４．第４の実施の形態（複数種類の接続方式を用いて再生装置・出力装置間が接続されている例）
５．変形例
変形例１（再生装置内にユーザ情報および再生履歴情報を記憶させる例）
変形例２（出力装置内にユーザ情報、再生装置内に再生履歴情報を記憶させる例）
変形例３（再生履歴情報の記憶時から所定時間遡って続き再生が開始される例）
【００１７】
＜第１の実施の形態＞
［コンテンツ再生システム５の構成］
図１は、本発明の第１の実施の形態に係るコンテンツ再生システム（コンテンツ再生システム５）のブロック構成を表すものである。このコンテンツ再生システム５は、コンテンツ（映像、音声またはそれらの組み合わせにより構成されるデータの内容）の再生およびユーザへの出力（例えば、映像の表示や音声の出力等）を行うものである。コンテンツ再生システム５は、リビングルーム（居間）１０内に設置されたＴＶ（television）装置１およびＨＤＤ（Hard Disk Drive）レコーダ４と、書斎２０内に設置されたＴＶ装置２と、寝室３０内に設置されたＴＶ装置３とを備えている。
【００１８】
これらのＴＶ装置１，２，３およびＨＤＤレコーダ４の間はそれぞれ、互いにデータの送受信が可能となるように接続されており、ここでは一例として、互いにネットワーク接続されている。ここで、ＴＶ装置１，２，３が本発明における「出力装置」（コンテンツの出力装置）の一具体例に対応し、ＨＤＤレコーダ４が本発明における「再生装置」（コンテンツの再生装置）の一具体例に対応する。
【００１９】
（ＴＶ装置１，２，３の詳細構成）
ＴＶ装置１，２，３はそれぞれ、ユーザ検出部１１、メモリ１２、画像処理部１３、表示部１４、制御部１５、ネットワーク端子１６およびＨＤＭＩ（High-Definition Multimedia Interface）端子１７を有している。なお、ＴＶ機能を実現するためのチューナ等については、ここでは図示を省略している（後述する他の実施の形態および変形例についても同様）。
【００２０】
ここで、表示部１４が、本発明における「第１の出力部」、「第２の出力部」または「出力部」の一具体例に対応する。また、メモリ１２が、本発明における「再生情報記憶部」および「装置情報記憶部」の一具体例に対応する。制御部１５が、本発明における「記憶制御部」、「再生情報取得部」、「再生制御部」および「中断制御部」の一具体例に対応する。
【００２１】
ユーザ検出部１１は、ＴＶ装置１、ＴＶ装置２またはＴＶ装置３を用いてコンテンツの視聴が可能な環境にいるユーザの在否（近傍にいるか否か）を検出するものであり、カメラ１１１、認証部１１２および制御部１１３を有している。カメラ１１１は、ユーザを撮像してその撮像データを取得するためのものであり、例えばＣＣＤ（Charge Coupled Device）やＣＭＯＳ（Complementary Metal Oxide Semiconductor）等の撮像素子を用いて構成されている。認証部１１２は、カメラ１１１により得られた撮像データに基づいてユーザの認証（例えば顔認証等）を行うものであり、その認証結果（ユーザの検出結果）は制御部１５へ出力されるようになっている。制御部１１３は、カメラ１１１の撮像動作および認証部１１２の認証動作をそれぞれ制御するものである。なお、ここでは、カメラを用いてユーザの検出（認証）を行っているが、他の手法（指紋認証、声紋認証、静脈認証もしくは脳波等の各種の生体信号を使用した認証、またはＲＦＴＡＧ等の個体識別信号を用いた個人識別）を用いるようにしてもよい。
【００２２】
メモリ１２は、後述するユーザ情報（ユーザ情報７２）、コンテンツの再生履歴情報（再生履歴情報７１）および各装置（ＴＶ装置１，２，３およびＨＤＤレコーダ４）の装置情報（装置情報６）、ならびにその他の種々のデータやプログラムを保持しておくための記憶部（保持部）である。このメモリ１２における記憶手段としては、固定ディスクでもリムーバブルディスクでもよく、また、その種類としても、磁気ディスクや光ディスク、光磁気ディスク、半導体メモリ等の種々のものを用いることができる。
【００２３】
画像処理部１３は、映像信号に対して所定の画像処理（例えば、ガンマ補正処理、コントラスト改善処理、シャープネス処理など）を施して表示部１４へと出力するものである。
【００２４】
表示部１４は、画像処理部１３から出力される映像信号に基づいて映像表示を行うことにより、ユーザに対し、ＨＤＤレコーダ４において再生されたコンテンツの出力動作を行うものである。この表示部１４は、例えば、ＬＣＤ（Liquid Crystal Display）やＰＤＰ（Plasma Display Panel）、有機ＥＬ（Electro Luminescence）ディスプレイ等により構成されている。
【００２５】
制御部１５は、ＴＶ装置１全体の制御を行うものである。具体的には、認証部１１２、制御部１１３、メモリ１２、画像処理部１３、ネットワーク端子１６およびＨＤＭＩ端子１７における各動作の制御を行うと共に、それらとの間でデータの受け渡し（入出力）を行うようになっている。この制御部１５はまた、後述するコンテンツの続き再生処理の際に各種の処理を行うようになっている。なお、制御部１５におけるそのような各種の処理の詳細については後述する。
【００２６】
ネットワーク端子１６は、ＴＶ装置１，２，３およびＨＤＤレコーダ４の間を互いにネットワーク接続してデータの送受信を行うための端子である。このようにして送受信されるデータは、ネットワーク端子１６を介して画像処理部１３および制御部１５との間で入出力されるようになっている。なお、上記したネットワーク接続としては、例えば、ＤＬＮＡ（Digital Living Network Alliance）方式による接続や、ＬＡＮ（Local Area Network）方式による接続（Ethernet（登録商標）、無線ＬＡＮ、ＭｏＣＡ（Multimedia over Coax Alliance）、ファイバ、ＰＬＣ（Power Line Communication）など）等が挙げられる。
【００２７】
ＨＤＭＩ端子１７は、ＴＶ装置１，２，３およびＨＤＤレコーダ４の間を互いにローカル接続してデータの送受信を行うための端子である。このようにして送受信されるデータは、ＨＤＭＩ端子１７を介して画像処理部１３および制御部１５との間で入出力されるようになっている。なお、このようなＨＤＭＩ方式によるローカル接続の代わりに（あるいはこれに加えて）、例えばＵＳＢ（Universal Serial Bus）等の他のローカル接続を用いてもよい。
【００２８】
（ＨＤＤレコーダ４の詳細構成）
ＨＤＤレコーダ４は、メモリ４２、画像処理部４３、ＨＤＤ４４、制御部４５、ネットワーク端子４６およびＨＤＭＩ端子４７を有している。ここで、ＨＤＤ４４、画像処理部４３および制御部４５が、本発明における「再生部」の一具体例に対応する。
【００２９】
メモリ４２は、各種のデータやプログラムを保持しておくための記憶部（保持部）である。このメモリ１２における記憶手段としては、上記したメモリ１２と同様に種々のものを用いることができる。
【００３０】
画像処理部４３は、ＨＤＤ４４に対して記録または再生する映像信号に対し、上記した画像処理部１３と同様の所定の画像処理を施すものである。
【００３１】
ＨＤＤ４４は、コンテンツのデータの他、各種のデータやプログラム等を保持しておくための記憶部（保持部）である。
【００３２】
制御部４５は、ＨＤＤレコーダ４全体の制御を行うものである。具体的には、メモリ４２、画像処理部４３、ＨＤＤ４４、ネットワーク端子４６およびＨＤＭＩ端子４７における各動作の制御を行うと共に、それらとの間でデータの受け渡し（入出力）を行う。これにより、ＨＤＤレコーダ４においてコンテンツ等の再生動作を行うことが可能となっている。
【００３３】
［コンテンツ再生システム５の作用・効果］
続いて、本実施の形態のコンテンツ再生システム５の作用および効果について説明する。
【００３４】
（１．ユーザ情報の初期登録処理）
まず、図２を参照して、後述するコンテンツの続き再生処理の際に用いられるユーザ情報（後述するユーザ情報７２）の初期登録処理について説明する。図２は、このユーザ情報の初期登録処理の一例を流れ図で表わしたものである。具体的には、ここでは、ユーザ、ＴＶ装置１内のユーザ検出部１１、および他のユーザ検出部１１（ＴＶ装置２，３内のユーザ検出部１１）の間で行われる各処理を、時系列で示している。なお、このユーザ情報の内容としては、詳細は後述するが、名前（ユーザ名）の他、例えば生体情報や個人識別情報等が挙げられる。
【００３５】
まず、ＴＶ装置１の近傍にユーザが出現すると（ステップＳ１１）、このＴＶ装置１内のユーザ検出部が、そのユーザを検出する（ステップＳ１２）。次いで、このユーザが、ＴＶ装置１内でユーザ情報が登録されていないユーザであると判断されると、ＴＶ装置１内の制御部１５は、ＴＶ装置２，３内のユーザ検出部１１（および制御部１５）に対してそれぞれ、ユーザ情報の問い合わせを行う（ステップＳ１３）。
【００３６】
そして、ＴＶ装置２，３からユーザ情報の問い合わせに対する回答が得られると（ステップＳ１４）、ＴＶ装置１は表示部１４上に、ユーザ情報の入力・選択画面を表示させる（ステップＳ１５）。すなわち、ＴＶ装置２，３においても該当するユーザ情報が登録されていない旨の回答が得られた場合には、その新規のユーザのユーザ情報を表示画面上でユーザに入力させるための画面を表示させる。一方、ＴＶ装置２，３において該当するユーザ情報が登録されている旨の回答が得られた場合には、その登録済みのユーザ情報を表示画面上でユーザに選択させるための画面を表示させる。
【００３７】
次に、ユーザによって、表示部１４上のこの入力・選択画面においてユーザ情報が入力または選択されると（ステップＳ１６）、ＴＶ装置１の制御部１５は、ユーザ情報を更新してメモリ１２に記憶させる（ステップＳ１７）。以上により、ユーザ情報の初期登録処理が終了となる。
【００３８】
（２．装置情報の初期収集処理）
続いて、図３を参照して、後述するコンテンツの続き再生処理の際に用いられる、ＴＶ装置１，２，３における装置情報（後述する装置情報６）の初期収集処理について説明する。図３は、この装置情報の初期収集処理の一例を流れ図で表わしたものである。
【００３９】
この装置情報は、装置名の他、各装置間の接続関係を示す情報や、接続方式情報（後述する接続方式情報６１）を含んだものとなっている。このうち、各装置間の接続関係を示す情報としては、例えば、ＵＵＩＤ（Universally Unique Identifier；汎用一意識別子）、ＭＡＣアドレス（Media Access Control address）、ＵＲＬ（Uniform Resource Locator）等が挙げられる。ここで、ＵＵＩＤは、ソフトの実装上、異なったインターフェース（Ｉ／Ｆ）に対しても、同じＵＵＩＤが確実に返されるように実装しておくようにする。また、ＭＡＣアドレスについても、Ｗｉ−Ｆｉ，Ethernet，ＨＥＣ（ＨＤＭＩ １．４において規定されているＨＤＭＩのEther接続）等、物理インターフェースが異なると、その内容が異なることがある。したがって、各インターフェースを通じて他のインターフェースに割り振られている全てのＭＡＣアドレスの情報を収集するためのプロトコルを実装し、装置の同一性の認証に用いるようにする。なお、ＨＤＭＩのＣＥＣ（Consumer Electronics Control）では、装置のＭＡＣアドレスやＵＵＩＤ等は標準命令では実装されていないため、ｖｅｎｄｅｒｓｐｅｃｉｆｉｃ命令として実装する必要がある。
【００４０】
この装置情報の初期収集処理では、ＴＶ装置１，２，３（ＴＶ装置１等）の制御部１５は、ネットワーク接続されている他の装置（ＨＤＤレコーダ４を含む）に対して、接続関係を示す情報および接続方式情報の送信を要求し、どのような装置が接続されているのかを確認する。また、例えばＨＤＭＩ接続等のローカル接続についても、ＣＥＣ等を介してそれらの情報を取得する。なお、これらの情報は装置の電源投入時にまず確認され、その後も新たなインターフェースが接続されたことが確認される度に更新される。
【００４１】
具体的には、まず、ＴＶ装置１等は、対象となる装置のＩ／Ｆを選択する（ステップＳ２０１）。そして、そのＩ／ＦがＨＤＭＩ接続である場合には（ステップＳ２０２：Ｙ）、以下のステップＳ２０６〜Ｓ２１１の処理を行う。一方、そのＩ／ＦがＨＤＭＩ接続ではない（例えば、ＤＬＮＡ等のネットワーク接続）場合（ステップＳ２０２：Ｎ）、以下のステップＳ２０３，Ｓ２０４の処理を行う。
【００４２】
ここで、本実施の形態のように、ＴＶ装置１等が互いネットワーク接続されている場合（ステップＳ２０２：Ｎ）、ＴＶ装置１等はまず、例えば、ＤＬＮＡに対応している装置をネットワーク上で検索する（ステップＳ２０３）。続いて、ＴＶ装置１等は、検索された装置のＵＵＩＤ等の装置情報をメモリ１２へ記録・保持しておくようにする（ステップＳ２０４）。そして、次のＩ／Ｆがあるか否かを判断し（ステップＳ２０５）、まだ次のＩ／Ｆがある場合には（ステップＳ２０５：Ｙ）、ステップＳ２０１へと戻る。一方、次のＩ／Ｆがない場合には（ステップＳ２０５：Ｎ）、ＴＶ装置１等は、すでに保持されているＵＵＩＤを確認し、同じＵＵＩＤがある場合には統合（マージ）するようにする（ステップＳ２１２）。以上により、装置情報の収集処理が終了となる。
【００４３】
一方、例えば後述する第４の実施の形態のように、あるＩ／ＦがＨＤＭＩの場合（ステップＳ２０２：Ｙ）、ＴＶ装置１等はまず、（次の）ポートを選択する（ステップＳ２０６）。次いで、ＴＶ装置１等は、そのポートがＨＥＣに対応しているか否か（ＨＤＭＩ １．４であるか、あるいはＨＤＭＩ １．３以下であるか）を判断する（ステップＳ２０７）。ここで、ＨＥＣに対応していない場合には（ステップＳ２０７：Ｎ）、ＴＶ装置１等は、ＣＥＣ経由にてＵＵＩＤ等の装置情報を取得し、メモリ１２へ保持する（ステップＳ２０８）。なお、この際、ＭＡＣアドレスを問い合わせるか、あるいはＵＵＩＤを直接ポートとひも付けしておくようにしてもよい。そして、後述するステップＳ２１１へと進む。一方、ＨＥＣに対応していない場合には（ステップＳ２０７：Ｙ）、まず、ＴＶ装置１等は、繋がっているＭＡＣアドレスを確認する（ステップＳ２０９）。したがって、ＨＥＣを用いる場合には、対象とする装置のＭＡＣアドレスを事前に全て収集しておく必要がある。次に、ＴＶ装置１等は、そのＭＡＣアドレスに対してＵＵＩＤおよび他のＭＡＣアドレスを問い合わせて取得し、ポート名と共にメモリ１２へ保持する（ステップＳ２１０）。そして、ＴＶ装置１等は、次のポートがあるか否かを判断し（ステップＳ２１１）、次のポートがまだある場合には（ステップＳ２１１：Ｙ）、ステップＳ２０６へと戻る一方、次のポートがない場合には（ステップＳ２１１：Ｎ）、前述したステップＳ２０５へと進む。
【００４４】
以上のようにして、ＴＶ装置１等は、他の装置から、例えば図４（Ａ）に示したような装置情報の問い合わせ結果の情報を取得する。すなわち、ここでは、装置名、ＵＵＩＤおよびＭＡＣアドレス（ここではＭＡＣアドレス１〜３）からなる情報を取得する。そして、ＴＶ装置１等は、例えば図４（Ｂ）に示したような、接続方式情報６１を含む装置情報６をメモリ１２へと保持する。具体的には、ここでは、装置名、ＵＵＩＤ、ＭＡＣアドレス（ここではＭＡＣアドレス１〜３）および接続方式情報６１（例えば、ネットワーク接続であるのか、ローカル接続（例えばＨＤＭＩ接続）であるのかを示す情報）からなる装置情報６を保持する。なお、ここではＵＵＩＤおよびＭＡＣアドレスを装置情報６に含めるようにしているが、例えばＭＡＣアドレスは含めずにＵＵＩＤのみを含めるようにしてもよい。
【００４５】
（３．第１の実施の形態のコンテンツの続き再生処理）
次に、図５〜図９を参照して、本実施の形態の特徴的部分の１つである、コンテンツ再生システム５におけるコンテンツの続き再生処理について、詳細に説明する。
【００４６】
図５は、本実施の形態のコンテンツの続き再処理の概要を流れ図で表わしたものである。ここでは一例として、図中の矢印Ｐ１で示したように、１人のあるユーザが、リビングルーム１０内のＴＶ装置１を用いてあるコンテンツの視聴を行っていた後に書斎２０内へ移動し、この書斎２０内のＴＶ装置２を用いてそのコンテンツの続き再生を行い視聴する場合について説明する。したがって、図５では、ユーザ、ＴＶ装置１内のユーザ検出部１１、ＴＶ装置１、ＨＤＤレコーダ４、ＴＶ装置２、ＴＶ装置２内のユーザ検出部１１の間で行われる各処理を、時系列で示している。なお、図中のユーザ、各装置またはブロックの時系列線上に示した太線は、ユーザがその部屋内に存在する期間、ユーザが存在することが検出されている期間、またはコンテンツの再生期間を示しており、以下同様である。
【００４７】
（３−１．リビングルーム１０側での各処理）
まず、ＴＶ装置１の近傍にユーザが出現すると（ステップＳ３０１）、このＴＶ装置１のユーザ検出部１１が、そのユーザを検出し（ステップＳ３０２）、ユーザを特定する。
【００４８】
次に、ＴＶ装置１は、他のＴＶ装置であるＴＶ装置２（ここでは便宜上、ＴＶ装置２についてのみ代表して説明する）に対して、そのユーザについてのＨＤＤレコーダ４におけるコンテンツの再生履歴情報を問い合わせる（ステップＳ３０３）。そしてＴＶ装置１は、ＴＶ装置２からこの再生履歴情報の問い合わせに対する回答を取得する（ステップＳ３０４）。なお、ここでは、この時点ではそのユーザの再生履歴がないものとして説明する。
【００４９】
次に、ユーザがＨＤＤレコーダ４に対し、コンテンツの再生動作を行うための再生操作を行うと（ステップＳ３０５）、ＴＶ装置１は、ＨＤＤレコーダから対応するコンテンツのデータ（コンテンツデータ）を取得する。このとき、例えばＴＶ装置１とＨＤＤレコーダ４とがＤＬＮＡ接続されている場合には、図５中に示したように、コンテンツの再生命令は、ＴＶ装置１側からＨＤＤレコーダ４へと行う（ステップＳ３０６）。具体的には、再生するストリームの再生時間（再生位置（ポジション）の意味）をＴＶ装置１側から指定し、ＨＤＤレコーダ４がコンテンツデータ等の出力を行う（ステップＳ３０７）。これにより、ＴＶ装置１側では、コンテンツデータの出力に必要な情報（例えば、タイトル、時間、使用している装置等の情報、再生中であるか否かを示す再生状態情報等）を取得し、認識することができる。そして、ＴＶ装置１の表示部１４においてコンテンツの出力がなされ、ユーザはそのコンテンツの視聴を行う（ステップＳ３０８）。この際、ＴＶ装置１では、このコンテンツの再生履歴情報を、ユーザ情報と共にメモリ１２へと記憶しておくようにする。
【００５０】
その後、ユーザがリビングルーム１０から退出して書斎２０へと移動すると（ステップＳ３０９）、ＴＶ装置１のユーザ検出部１１は、そのユーザが検出されなくなった旨の検出結果を出力する（ステップＳ３１０）。そして、ＴＶ装置１は、このようにこれまでコンテンツの視聴を行っていたユーザがいなくなったと判断された場合、そのユーザに対応するコンテンツの再生が自動的に中断されるように、ＨＤＤレコーダ４に対して中断命令を行う（ステップＳ３１１）。そして、ＴＶ装置１は、そのユーザについてのＨＤＤレコーダ４におけるコンテンツの再生履歴情報を、ここでは自身の装置内（メモリ１２）へ記憶させる（保持しておく）（ステップＳ３１２）。
【００５１】
ここで、このようなリビングルーム１０内での各処理は、具体的には以下のようにして行われる。図６は、図５におけるＴＶ装置１側の処理の詳細例を流れ図で表わしたものである。
【００５２】
最初に、ＴＶ装置１のユーザ検出部１１は、カメラ１１１により得られた撮像データに基づいて、以下のステップＳ４０１〜Ｓ４０３の判断を行う。すなわち、まず、ユーザの顔が見えないか否かを判断し（ステップＳ４０１）、見えると判断された場合には（ステップＳ４０１：Ｎ）、ユーザがＴＶ装置１の近傍にいると判断し、所定のカウンタによるカウントを終了させて（ステップＳ４０４）、再びステップＳ４０１へと戻る。一方、ユーザの顔が見えないと判断された場合（ステップＳ４０１：Ｙ）には、次に、顔に繋がっている体が移動しているか否かを判断する（ステップＳ４０２）。ここで、体は移動していないと判断された場合には（ステップＳ４０２：Ｎ）、単にユーザが横を向いている等であってユーザはＴＶ装置１の近傍にいると判断し、上記したステップＳ４０４へと進む。一方、体が移動していると判断された場合には（ステップＳ４０２：Ｙ）、次に、検出されていたユーザが１人の場合、かつ、例えば図示しない人感センサによる反応がないか否かを判断する（ステップＳ４０３）。検出されていたユーザが１人であるのに、人感センサによる反応がある場合には（ステップＳ４０３：Ｎ）、ＴＶ装置１の近傍にまだユーザがいると判断し、上記したステップＳ４０４へと進む。一方、検出されていたユーザが１人であり、かつ、人感センサによる反応がないと判断された場合には（ステップＳ４０３：Ｙ）、ＴＶ装置１の近傍にはユーザがいないと最終的に判断し、次に以下説明するステップ４０５へと進む。また、ユーザが複数人の場合には人感センサが反応してしまうため、ステップ４０３はパスしてステップ４０５へと進む。
【００５３】
次に、ＴＶ装置１は、所定のタイマ（ユーザが連続して視聴していないと判断されている時間をカウントするためのもの）がカウント中か否かを判断し（ステップＳ４０５）、タイマがカウント中である場合には（ステップＳ４０５：Ｙ）、後述するステップＳ４１１へと進む。一方、タイマがカウント中ではない場合には（ステップＳ４０５：Ｎ）、次にＴＶ装置１は、ＨＤＤレコーダ４から、このＨＤＤレコーダがコンテンツの再生中であるか否かを示す再生状態情報を問い合わせて取得する（ステップＳ４０７）。この際、具体的には例えば、ＵＰｎＰＡＶの命令である「Ｇｅｔ ＴｒａｎｓｐｏｒｔＩｎｆｏ」を用いて取得する。
【００５４】
次に、ＴＶ装置１は、取得した再生状態情報を用いて、ＨＤＤレコーダ４がコンテンツの再生中であるか否かを判断する（ステップＳ４０８）。再生中であると判断した場合には（ステップＳ４０８：Ｙ）、例えば上記した「Ｇｅｔ ＴｒａｎｓｐｏｒｔＩｎｆｏ」の命令を用いてコンテンツの再生履歴情報を取得し（ステップＳ４０９）、再びステップＳ４０１へと戻る。一方、再生中ではないとは判断した場合には（ステップＳ４１０：Ｎ）、再生中断時に取得したコマンド（例えば、上記した「Ｇｅｔ ＴｒａｎｓｐｏｒｔＩｎｆｏ」）を利用してコンテンツの再生履歴情報し（ステップＳ４１０）、再びステップＳ４０１へと戻る。この際、再生履歴情報としては、例えば、その時点で再生もしくは直前に再生していたコンテンツのタイトル，トラック番号，長さ（時間）、そのコンテンツのＵＲＬ等のＸＭＬ（eXtensible Markup Language）情報、コンテンツの再生時間（再生位置；コンテンツの最初からの時間およびそのトラック内での時間）、そのトラックのメタデータ、その時点での時刻や、その他ＸＭＬ（eXtensible Markup Language）で記述される情報等を含めるようにする。
【００５５】
ここで、前述したステップＳ４０５において、タイマがカウント中であると判断された場合（ステップＳ４０５：Ｙ）、次にＴＶ装置１は、タイマによるカウント時間が所定の規定時間に達したか否かを判断する（ステップＳ４１１）。規定時間に達していないと判断した場合には（ステップＳ４１１：Ｎ）、タイマをカウントアップし（ステップＳ４１２）、再びステップＳ４０１へと戻る。一方、規定時間に達したと判断した場合には（ステップＳ４１１：Ｙ）、次にＴＶ装置１は、前述したカウンタによるカウントを終了させる（また、コンテンツの再生中の場合、その再生も中断させる）と共に、取得した各情報（再生状態情報、再生履歴情報等）をメモリ１２内に保持する（ステップＳ４１３）。以上により、図６に示した処理が終了となる。
【００５６】
ここで、図７は、このようにして取得される、ユーザ情報７２と対応付けられてなる再生履歴情報７１の一例を模式的に表したものである。この例では、コンテンツのタイトル、ＵＲＬ、再生装置名、ＵＵＩＤ、ＭＡＣアドレス、情報更新日時、再生時間（再生位置）および再生状態を示す情報からなる再生履歴情報７１が、ユーザ名を含むユーザ情報と対応付けられて保持されるようになっている。
【００５７】
（３−２．書斎２０側での各処理）
次に、図５に戻り、書斎２０側での各処理について説明する。
【００５８】
まず、この書斎２０内のＴＶ装置２の近傍にユーザが移動してきて出現すると（ステップＳ３１３）、ＴＶ装置２のユーザ検出部１１は、そのユーザを検出し（ステップＳ３１４）、ユーザを特定する。次に、ＴＶ装置２は、他のＴＶ装置であるＴＶ装置１（ここでは便宜上、ＴＶ装置１についてのみ代表して説明する）に対して、そのユーザについてのＨＤＤレコーダ４におけるコンテンツの再生履歴情報７１を問い合わせる（ステップＳ３１５）。そしてＴＶ装置２は、ＴＶ装置１からこの再生履歴情報７１の問い合わせに対する回答を取得する（ステップＳ３１６）。なお、ここでは、この時点でそのユーザの再生履歴はあることになる。この際、ＴＶ装置２は、後述するように、各装置間の接続方式情報６１（例えば、ネットワーク接続であるか、ローカル接続であるかなど）を考慮した手法を用いて、再生履歴情報７１を取得する。
【００５９】
次に、本実施の形態では、ＴＶ装置２が自動的に、ＨＤＤレコーダ４に対して、そのコンテンツの再生命令（続き再生処理を行うための命令）を行う（ステップＳ３１７）。具体的には、ＴＶ装置２は、取得した再生履歴情報７１（およびそれに対応付けられたユーザ情報７２）と、接続方式情報６１とを用いて、ＨＤＤレコーダ４に対してコンテンツの続き再生処理の命令を行う。すなわち、ＨＤＤレコーダ４において再生されてＴＶ装置１へ出力されていたコンテンツが、ＨＤＤレコーダ４において引き続き再生されて接続方式情報６１を考慮した手法によってＴＶ装置２へ出力されるように、続き再生処理の命令を行う。これにより、ＨＤＤレコーダ４からＴＶ装置２に対して、対応するコンテンツデータ（続き再生位置からのコンテンツデータ）が出力され（ステップＳ３１８）、ユーザはＴＶ装置２においてそのコンテンツの視聴（コンテンツの続き再生の視聴）を行う（ステップＳ３１９）。以上により、書斎２０側での各処理が終了すると共に、図５に示したコンテンツ再生システム５におけるコンテンツの続き再生処理の全体も終了となる。
【００６０】
ここで、このような書斎２０内での各処理は、具体的には以下のようにして行われる。図８および図９は、図５におけるＴＶ装置２側の処理の詳細例を流れ図で表わしたものである。
【００６１】
まず、ＴＶ装置２はユーザの検出を行い（ステップＳ５０１）、次に他の装置（ここではＴＶ装置１）に対して、検出されたユーザについての再生状態情報を問い合わせて取得する（ステップＳ５０２）。そして、ＴＶ装置２は取得した再生状態情報を用いて、そのユーザによる最後（直近）の再生状態を確認する（ステップＳ５０３）。
【００６２】
ここで、最後に再生したコンテンツが再生中であると判断した場合には（ステップＳ５０３：Ｙ）、自動的に後述するステップＳ５０６以降（続き再生処理）へと進む一方、再生中ではないと判断した場合には（ステップＳ５０３：Ｎ）、ステップＳ５０５へと進む。このステップＳ５０５では、続き再生処理の開始を行うか否かの選択を、表示部１４の画面上で行う（後述する第３の実施の形態に対応）。そして、続き再生処理を行うとの選択がなされた場合には（ステップＳ５０５：Ｙ）、後述するステップＳ５０６以降（続き再生処理）へと進む一方、続き再生処理を行わないとの選択がなされた場合には（ステップＳ５０５：Ｎ）、図８，図９に示した処理が終了となる。
【００６３】
ここで、続き再生処理ではまず、ＴＶ装置２は、最後に再生を行った再生装置（ここではＨＤＤレコーダ４）のＵＵＩＤを確認する（図９のステップＳ５０６）。次いで、装置情報６を用いて、該当するＵＵＩＤの情報を抽出する（ステップＳ５０７）と共に、装置情報６のうちの接続方式情報６１を用いて、ＨＤＤレコーダ４との間の接続方式を確認する（ステップＳ５０８）。そして、ＴＶ装置２は、この接続方式がＨＤＭＩであるか否かを判断する（ステップＳ５０９）。
【００６４】
ここで、例えば本実施の形態のように、接続方式がＨＤＭＩではない場合（例えば、ＤＬＮＡの場合）には（ステップＳ５０９：Ｎ）、まず、ＴＶ装置２は、接続されているネットワークから、そのＵＵＩＤを有する再生装置を検索する（ステップＳ５１０）。次いで、ＴＶ装置２は、検索された再生装置（ここではＨＤＤレコーダ４）に対して、コンテンツの続き再生処理の開始を指示する（ステップＳ５１１）。続いて、ＴＶ装置２は、続き再生処理を行うためのＵＲＬや、コンテンツのメタデータを取得するためのＵＲＬ等を指定する（図８のステップＳ５１２）。具体的には、例えばＵＰｎＰＡＶの命令である「ｓｅｔＡＶｔｒａｎｓｐｏｒｔＵＲＩ」を用いて指定を行う。次に、ＴＶ装置２は、コンテンツのバイト単位アドレス（コンテンツを指定の位置から再生するためのもの）を認識しているか否かを判断する（ステップＳ５１３）。そして、認識していると判断した場合には（ステップＳ５１３：Ｙ）、続き再生対象のコンテンツのデータを取得して続き再生処理を行い（ステップＳ５１４）、処理が終了となる。このとき、コンテンツのデータの取得の際には、例えばＤＬＮＡ（ＵＰｎＰ）の命令である「Ｐｌａｙ（ＨＴＴＰ−ＧＥＴ）」を用いて行う。一方、認識していないと判断した場合には（ステップＳ５１３：Ｎ）、例えばＤＬＮＡの命令である「ＴｉｍｅＳｅｅｋＲａｎｇｅ．ｄｌｎａ．ｏｒｇ」を用いて、バイト単位アドレスを検索し取得する（ステップＳ５１５）。そして、上記と同様に続き再生処理を行い（ステップＳ５１４）、処理が終了となる。
【００６５】
一方、後述する第４の実施の形態のように、接続方式がＨＤＭＩである場合には（図９のステップＳ５０９：Ｙ）、ＴＶ装置２はまず、ＨＤＭＩのポートを装置情報６から読み出す（ステップＳ５１６）。次に、ＴＶ装置２は、そのポートのＨＤＭＩに対して、続き再生処理の開始を指示する（ステップＳ５１７）。そして、ＣＥＣ経由にてコンテンツの再生番組や再生時間等を設定し、続き再生処理を開始させ（図８のステップＳ５１８）、処理が終了となる。
【００６６】
このようにして本実施の形態のコンテンツ再生システム５では、ＨＤＤレコーダ４においてコンテンツが再生され、ＴＶ装置１，２，３において、その再生されたコンテンツがユーザへ出力される。この際、ＴＶ装置１において再生されたコンテンツが出力されているときに、ＴＶ装置１におけるユーザの在否の検出結果に基づいて所定のユーザがいなくなったと判断された場合には、そのユーザについてのコンテンツの再生履歴情報７１が、ＴＶ装置１内へ記憶される。その後、ＴＶ装置２において、ユーザの在否の検出結果に基づいて上記所定のユーザが出現したと判断されると、そのユーザについての再生履歴情報７１が、各装置間の接続方式情報６１を考慮した手法を用いて、ＴＶ装置１から取得される。そして、取得された再生履歴情報７１と接続方式情報６１とを用いて、再生されてＴＶ装置１へ出力されていたコンテンツが、引き続き再生されて接続方式情報６１を考慮した手法によってＴＶ装置２へ出力されるように、ＨＤＤレコーダ４に対して再生命令が行われる。このようにして、従来のように専用の操作機器（リモコン等）を用いることなく、各装置間の接続方式を考慮した手法により、異なる出力装置（ここではＴＶ装置）間でのコンテンツの続き再生処理がなされる。
【００６７】
以上のように本実施の形態では、ユーザの在否の検出結果に基づいて所定のユーザが出現したと判断された場合に、そのユーザについての再生履歴情報７１を、各装置間の接続方式情報６１を考慮した手法を用いて取得すると共に、取得した再生履歴情報７１と接続方式情報６１とを用いて、再生されて一のＴＶ装置へ出力されていたコンテンツが、引き続き再生されて接続方式情報６１を考慮した手法によって他のＴＶ装置へ出力されるように再生命令を行うようにしたので、従来のように専用の操作機器を用いることなく、各装置間の接続方式を考慮した手法により、異なる出力装置（ＴＶ装置）間でのコンテンツの続き再生処理を行うことができる。よって、異なる出力装置間でのコンテンツの続き再生処理を利便良く実現することが可能となる。
【００６８】
続いて、本発明の他の実施の形態（第２〜第４の実施の形態）について説明する。なお、以下では、第１の実施の形態と同一の構成要素については同一符号を付してその説明を適宜省略する。
【００６９】
＜第２の実施の形態＞
図１０は、第２の実施の形態に係るコンテンツの続き再処理の概要を流れ図で表わしたものである。上記第１の実施の形態では、１人のユーザが移動（リビングルーム１０から書斎２０へ移動）する際の続き再生処理を例に挙げて説明したが、本実施の形態では、複数人（ここでは２人）のユーザが別々の部屋へ移動する際の続き再生処理について説明する。
【００７０】
ここでは一例として、２人のユーザ（ユーザＡ，Ｂ）が、リビングルーム１０内のＴＶ装置１を用いてあるコンテンツの視聴を行っていた後に、ユーザＡ，Ｂが別々の部屋に移動してそのコンテンツの続き再生処理を個別に行う場合について説明する。具体的には、ユーザＡは、図中の矢印Ｐ２１で示したように、リビングルーム１０から書斎２０内へ移動し、この書斎２０内のＴＶ装置２を用いてそのコンテンツの続き再生を行うものとする。一方、ユーザＢは、図中の矢印Ｐ２２で示したように、リビングルーム１０から寝室３０内へ移動し、この寝室３０内のＴＶ装置３を用いてそのコンテンツの続き再生を行うものとする。したがって、図１０では、ユーザＡ，Ｂ、ＴＶ装置１，２，３内のユーザ検出部１１、ＴＶ装置１，２，３、ＨＤＤレコーダ４の間で行われる各処理を、時系列で示している。
【００７１】
ここで、図中のユーザＡ、各装置またはブロックの時系列線上に示した実線の太線は、ユーザＡがその部屋内に存在する期間、ユーザＡが存在することが検出されている期間、またはユーザＡに対するコンテンツの再生期間を示しており、以下同様である。また、図中のユーザＢ、各装置またはブロックの時系列線上に示した実線の太線は、ユーザＢがその部屋内に存在する期間、ユーザＢが存在することが検出されている期間、またはユーザＢに対するコンテンツの再生期間を示しており、以下同様である。
【００７２】
なお、本実施の形態におけるコンテンツ再生システムの構成および基本的な動作はそれぞれ、第１の実施の形態と同様であるため、それらの説明を省略する。
【００７３】
［第２の実施の形態のコンテンツの続き再生処理］
（リビングルーム１０での処理）
まず、ＴＶ装置１の近傍に２人のユーザＡ，Ｂが出現すると（ステップＳ６０１）、このＴＶ装置１のユーザ検出部１１が、それらのユーザＡ，Ｂを検出し（ステップＳ６０２）、ユーザを特定する。この際、ユーザ検出部１１は、ユーザＡ，Ｂをそれぞれ区別して識別しておくようにする。
【００７４】
次に、ＴＶ装置１は、他のＴＶ装置であるＴＶ装置２，３に対してそれぞれ、ユーザＡ，ＢについてのＨＤＤレコーダ４におけるコンテンツの再生履歴情報７１を問い合わせる（ステップＳ６０３）。そしてＴＶ装置１は、ＴＶ装置２，３からそれぞれ、この再生履歴情報７１の問い合わせに対する回答を取得する（ステップＳ６０４）。なお、ここでは、この時点では、ＴＶ装置２，３とも、ユーザＡ，Ｂの再生履歴がいずれもないものとして説明する。
【００７５】
次に、あるユーザ（ここではユーザＢ）がＨＤＤレコーダ４に対し、コンテンツの再生動作を行うための再生操作を行うと（ステップＳ６０５）、ＴＶ装置１は、ＨＤＤレコーダから対応するコンテンツデータを取得する。このとき、例えばＴＶ装置１とＨＤＤレコーダ４とがＤＬＮＡ接続されている場合には、図１０中に示したように、コンテンツの再生命令は、ＴＶ装置１側からＨＤＤレコーダ４へと行う（ステップＳ６０６）。そして、ＨＤＤレコーダ４は、コンテンツデータ等の出力を行う（ステップＳ６０７）。これにより、ＴＶ装置１側では、コンテンツデータの出力に必要な情報を取得し、認識することができる。そして、ＴＶ装置１の表示部１４においてコンテンツの出力がなされ、ユーザＡ，Ｂがそれぞれ、そのコンテンツの視聴を行う（ステップＳ６０８）。この際、ＴＶ装置１では、このコンテンツの再生履歴情報７１を、ユーザ情報と共にメモリ１２へと記憶しておくようにする。また、ここでは２人のユーザＡ，Ｂが存在するため、ユーザＡ，Ｂのそれぞれについてのユーザ情報に対して、同一のコンテンツの再生履歴情報７１を個別に対応付けて記憶するようにする。
【００７６】
その後、ユーザＡのみがリビングルーム１０から退出して書斎２０へと移動すると（ステップＳ６０９）、ＴＶ装置１のユーザ検出部１１は、ユーザＡが検出されなくなった旨の検出結果を出力する（ステップＳ６１０）。ここで、このようにユーザＡ，ＢのうちのユーザＡのみがリビングルーム１０から退出した場合、ユーザ検出部１１において検出される人数が減る（２人から１人に減る）。これにより、検出されるユーザ数が減ったことだけでなく、検出されなくなったユーザが誰であるのかも特定することができる。次に、ＴＶ装置１は、このように、これまでコンテンツの視聴を行っていたユーザＡがいなくなったと判断された場合、そのユーザＡについてのコンテンツの再生履歴情報７１を、メモリ１２へ記憶させる（ステップＳ６１１）。
【００７７】
更にその後、ユーザＢもリビングルーム１０から退出し、上記したユーザＡとは異なり寝室３０へと移動すると（ステップＳ６１９）、ＴＶ装置１のユーザ検出部１１は、ユーザＢも検出されなくなった旨の検出結果を出力する（ステップＳ６２０）。すなわち、ユーザ検出部１１は、ＴＶ装置１の近傍にはユーザが誰もいなくなったことを認識する。したがって、ここではＴＶ装置１は、コンテンツの再生が自動的に中断されるように、ＨＤＤレコーダ４に対して中断命令を行う（ステップＳ６２１）。そして、ＴＶ装置１は、ユーザＢについてのコンテンツの再生履歴情報７１を、メモリ１２へ記憶させる（ステップＳ６２２）。以上により、リビングルーム１０での処理が終了する
【００７８】
（書斎２０での処理）
まず、この書斎２０内のＴＶ装置２の近傍にユーザＡが移動してきて出現すると（ステップＳ６１２）、ＴＶ装置２のユーザ検出部１１は、ユーザＡを検出し（ステップＳ６１３）、ユーザＡを特定する。次に、ＴＶ装置２は、他のＴＶ装置であるＴＶ装置１，３に対してそれぞれ、ユーザＡについてのコンテンツの再生履歴情報７１を問い合わせる（ステップＳ６１４）。そしてＴＶ装置２は、ＴＶ装置１，３からそれぞれ、この再生履歴情報７１の問い合わせに対する回答を取得する（ステップＳ６１５）。なお、ここでは、この時点で、ＴＶ装置１ではユーザＡの再生履歴はある一方、ＴＶ装置３ではユーザＡの再生履歴はないことになる。この際、ＴＶ装置２は、第１の実施の形態で説明したように、各装置間の接続方式情報６１を考慮した手法を用いて、再生履歴情報７１を取得する。
【００７９】
次に、ＴＶ装置２は自動的に、ＨＤＤレコーダ４に対して、ユーザＡについてのコンテンツの再生命令（続き再生処理を行うための命令）を行う（ステップＳ６１６）。具体的には、ＴＶ装置２は、取得した再生履歴情報７１（およびそれに対応付けられたユーザＡについてのユーザ情報７２）と、接続方式情報６１とを用いて、ＨＤＤレコーダ４に対して、ユーザＡについてのコンテンツの続き再生処理の命令を行う。これにより、ＨＤＤレコーダ４からＴＶ装置２に対して、対応するコンテンツデータ（ユーザＡに対応する続き再生位置からのコンテンツデータ）が出力される（ステップＳ６１７）。そして、ユーザＡはＴＶ装置２において、そのコンテンツの視聴（コンテンツの続き再生の視聴）を行う（ステップＳ６１８）。以上により、書斎２０での処理が終了する。なお、この時点では、ここでは上記したように、リビングルーム１０内のＴＶ装置１においてユーザＢが引き続きコンテンツの視聴を行っており、それとは再生位置が異なった部分を、ユーザＡが書斎２０内のＴＶ装置２において視聴していることになる。
【００８０】
（寝室３０での処理）
まず、この寝室３０内のＴＶ装置３の近傍にユーザＢが移動してきて出現すると（ステップＳ６２３）、ＴＶ装置３のユーザ検出部１１は、ユーザＢを検出し（ステップＳ６２４）、ユーザＢを特定する。次に、ＴＶ装置３は、他のＴＶ装置であるＴＶ装置１，２に対してそれぞれ、ユーザＢについてのコンテンツの再生履歴情報７１を問い合わせる（ステップＳ６２５）。そしてＴＶ装置３は、ＴＶ装置１，２からそれぞれ、この再生履歴情報７１の問い合わせに対する回答を取得する（ステップＳ６２６）。なお、ここでは、この時点で、ＴＶ装置１ではユーザＢの再生履歴はある一方、ＴＶ装置３ではユーザＢの再生履歴はないことになる。この際、ＴＶ装置３は、第１の実施の形態で説明したように、各装置間の接続方式情報６１を考慮した手法を用いて、再生履歴情報７１を取得する。
【００８１】
次に、ＴＶ装置３は自動的に、ＨＤＤレコーダ４に対して、ユーザＢについてのコンテンツの再生命令（続き再生処理を行うための命令）を行う（ステップＳ６２７）。具体的には、ＴＶ装置３は、取得した再生履歴情報７１（およびそれに対応付けられたユーザＢについてのユーザ情報７２）と、接続方式情報６１とを用いて、ＨＤＤレコーダ４に対して、ユーザＢについてのコンテンツの続き再生処理の命令を行う。これにより、ＨＤＤレコーダ４からＴＶ装置３に対して、対応するコンテンツデータ（ユーザＢに対応する続き再生位置からのコンテンツデータ）が出力される（ステップＳ６２８）。そして、ユーザＢはＴＶ装置３において、そのコンテンツの視聴（コンテンツの続き再生の視聴）を行う（ステップＳ６２９）。以上により、寝室３０での処理が終了すると共に、図１０に示した本実施の形態のコンテンツの続き再生処理の全体も終了となる。なお、この時点では、ここでは上記したように、書斎２０内のＴＶ装置２においてユーザＡがコンテンツの続き再生の視聴を行っており、それとは再生位置が異なった部分を、ユーザＢが寝室３０内のＴＶ装置３において別の続き再生を視聴していることになる。
【００８２】
以上のように本実施の形態では、複数のユーザが同じコンテンツを視聴していた場合に、各ユーザについての再生履歴情報をユーザ情報と対応付けて個別に記憶しておくようにしたので、各ユーザに応じた個別の続き再生処理を行うことが可能となる。例えば、上記したように、各ユーザが別々の部屋で個別に続き再生の視聴を行うことや、ユーザが視聴しなかった部分を、各々が別の機会に続き再生して視聴することなどが可能となる。
【００８３】
＜第３の実施の形態＞
図１１は、第３の実施の形態に係るコンテンツの続き再処理の概要を流れ図で表わしたものである。ここで、上記第１および第２の実施の形態では、ＴＶ装置において自動的に続き再生処理を開始させる例に挙げて説明した。これに対し、本実施の形態では、ＴＶ装置の表示部１４において、コンテンツの続き再生処理を行うか否かを選択するための画面を表示することにより、ユーザ自身の操作によって続き再生処理を開始させる例について説明する。
【００８４】
なお、本実施の形態におけるコンテンツ再生システムの構成および基本的な動作はそれぞれ上記第２の実施の形態と同様であるため、第２の実施の形態と同一の構成要素（処理）については同一符号を付してそれらの説明を省略する。
【００８５】
図１１に示した本実施の形態の続き再生処理では、図１０に示した第２の実施の形態の続き再生処理において、ステップＳ６１５，Ｓ６１６の間に、以下説明するステップＳ６３１，Ｓ６３２を追加している。また、それと共に、ステップＳ６２６，Ｓ６２７の間に、以下説明するステップＳ６３３を追加している。
【００８６】
まず、ユーザＢが、移動先の部屋において自動的に続き再生処理が開始されることを望まない場合、ユーザＢはリビングルーム１０から退出する（ステップＳ６１９）前に、ＴＶ装置１に対してコンテンツ再生の中断操作を行う（ステップＳ６３１）。これにより、ＴＶ装置１からＨＤＤレコーダ４へと中断命令がなされ（ステップＳ６３２）、手動によって、ユーザＢが視聴していたコンテンツの再生動作が中断される。
【００８７】
次に、ユーザＢが寝室３０へ移動した後に、第２の実施の形態で説明したように、ＴＶ装置１からＴＶ装置３に対して再生履歴情報７１の問い合わせの回答（再生履歴あり）がなされると（ステップＳ６２６）、本実施の形態では以下のステップＳ６３３の処理を行う。すなわち、ＴＶ装置３の表示部１４は、ユーザＢに対応するコンテンツの続き再生処理を行うか否かを選択するための画面を表示し、ユーザＢは、自身の操作によって再生履歴情報７１の選択を行い、続き再生処理を開始させる（ステップＳ６３３）。なお、異なる出力装置（ここではＴＶ装置）において同一のコンテンツが再生されていた場合、そのコンテンツについては最新の再生履歴情報のみを表示するようにする。
【００８８】
具体的には、例えば図１２に示したように、表示部１４は、「×××さん、このコンテンツの続き再生を行いますか？」といった、続き再生処理の開始を確認するメッセージを、そのユーザ（ここではユーザＢ）の再生履歴情報７１と共に表示する。具体的には、この例では、再生履歴情報７１として、コンテンツのタイトル、コンテンツの保存場所（ここではＨＤＤレコーダ４）、および前回のコンテンツの再生日時を示す各情報が表示されるようになっている。そして、ユーザＢが、画面上の「ＹＥＳ」，「ＮＯ」のうちの「ＹＥＳ」が選択されるように操作することにより、そのコンテンツの続き再生処理が手動で開始されることになる。
【００８９】
また、例えば図１３〜図１５に示したように、特定のユーザ（ここではユーザＢ）についての複数の再生履歴情報７１のうちの１つに対応するコンテンツの続き再生処理を行うか否かを選択するための画面を、表示部１４上に表示するようにしてもよい。これは、例えば、特定のユーザについての最新（直近）の再生履歴情報７１だけでなく、過去の再生履歴情報７１も併せて表示部１４上に表示するようにし、それらの複数の再生履歴情報のうちの１つをユーザに選択させて続き再生処理を開始させるというものである。
【００９０】
この場合、まず、例えば図１３中の符号Ｐ３１〜Ｐ３３に示したように、表示部１４は、ユーザＢについての複数（ここでは３つ）のコンテンツの再生履歴情報７１を、個別に表示する。また、それと共に、表示部１４は、「×××さん、どのコンテンツの続き再生を行いますか？」といった、続き再生処理の対象となるコンテンツの選択を促すメッセージを表示する。次いで、例えば図１４中の太枠および符号Ｐ３１で示したように、ユーザＢが、タイトルが「△△△」であるコンテンツについての続き再生処理を選択すると、次に例えば図１５に示したように、表示部１４は以下のメッセージを表示する。すなわち、「このコンテンツの続き再生を行います」といった確認のメッセージと共に、選択したコンテンツに対応する再生履歴情報７１のみを選択的に表示し、また「ＯＫ」，「Ｃａｎｃｅｌ」の操作ボタンを表示する。これにより、ユーザＢが「ＯＫ」が選択されるように操作を行うと、タイトルが「△△△」であるコンテンツについての続き再生処理が手動で開始されることになる。
【００９１】
以上のように本実施の形態では、ＴＶ装置の表示部１４において、コンテンツの続き再生処理を行うか否かを選択するための画面を表示するようにしたので、これまで説明したような自動開始ではなく、ユーザ自身の操作（手動）によって続き再生処理を開始させることが可能となる。
【００９２】
＜第４の実施の形態＞
図１６は、第４の実施の形態に係るコンテンツ再生システム（コンテンツ再生システム５Ａ）のブロック構成を表すものである。本実施の形態のコンテンツ再生システム５Ａは、図１に示した第１〜第３の実施の形態に共通のコンテンツ再生システム５において、ＴＶ装置１とＨＤＤレコーダ４との間を、ネットワーク接続に加えてローカル接続（ここではＨＤＭＩ接続）をするようにしたものである。すなわち、再生装置であるＨＤＤレコーダ４と、出力装置であるＴＶ装置１との間が、複数種類の接続方式で個別に接続されている場合に対応している。
【００９３】
図１７は、本実施の形態に係るコンテンツの続き再処理の概要を流れ図で表わしたものである。なお、本実施の形態の基本的な動作は上記第１の実施の形態と同様であるため、第１の実施の形態と同一の構成要素（処理）については同一符号を付してそれらの説明を省略する。
【００９４】
本実施の形態では、ＴＶ装置１等は、ＨＤＤレコーダ４と自身との間が複数種類の接続方式で個別に接続されている場合に、そのうちの１つの接続方式を選択するようになっている。そして、ＴＶ装置１等は、ＨＤＤレコーダ４において再生されたコンテンツがその選択された接続方式によって自身へ出力されるように制御する。具体的には、本実施の形態では、ＴＶ装置１等は、ＨＤＤレコーダ４と自身との間の接続距離を考慮して、複数種類の接続方式としてのネットワーク方式およびＨＤＭＩ方式のうちの一方を選択するようになっている。
【００９５】
より具体的には、図１７中に示したように、ＴＶ装置１からＨＤＤレコーダ４に対してコンテンツ再生の中断命令がなされると（ステップＳ３１１）、本実施の形態では次に、ＨＤＤレコーダ４がＴＶ装置１に対し、再生履歴情報７１の問い合わせを行う（ステップＳ３２１）。次いで、ＴＶ装置１は、ＨＤＤレコーダ４に対して、この再生履歴情報４の問い合わせに対する回答を行う（ステップＳ３２２）。そして、その後ＴＶ装置１は、再生履歴情報の保存（記録）を行う（ステップＳ３１２）。
【００９６】
このように、ＴＶ装置１等が、ＨＤＤレコーダ４と自身との間の接続距離を考慮して、ネットワーク方式およびＨＤＭＩ方式のうちの一方を選択してコンテンツの出力が行われるようにしているのは、以下の理由によるものである。すなわち、まず、これまでの説明では、ＴＶ装置１等とＨＤＤレコーダ４とがネットワーク接続のみで接続されていたため、ユーザが部屋を移動した際の続き再生処理では、常にネットワーク経由でコンテンツの出力がなされていた。これに対し、本実施の形態のように、ＴＶ装置１とＨＤＤレコーダ４との間が複数種類の接続方式（ここではネットワーク方式およびＨＤＭＩ方式）で個別に接続されている場合について考えると、以下のことが言える。
【００９７】
まず、例えばＨＤＤレコーダ４が設置されている部屋（リビングルーム１０）と同じ部屋内においてＴＶ装置１によりコンテンツを視聴する場合においても、ネットワーク接続経由にて再生すると、ユーザにとっての利便性が低下してしまう場合が生じ得る。具体的には、同じ部屋内の場合、再生時のコマンドに対する反応時間、早送りのバリエーション等のトリックプレイの多彩さ、ＥＰＧ（Electronic Program Guide）等のＧＵＩ（Graphical User Interface）の充実度、画像のきれいさ等の理由により、ＤＬＮＡ等のネットワーク接続経由の再生ではなく、ＨＤＭＩ等のローカル接続による再生を行うのが望ましい。したがって、上記のように、同じ部屋内においてネットワーク接続経由にて再生した場合、再生時にユーザに不便を強いることになり、利用の際の自由度が低くなってしまう。
【００９８】
そこで、本実施の形態では、ユーザが移動する前（リビングルーム１０にいるとき）には、ＨＤＤレコーダ４とＴＶ装置１との間の接続距離を考慮して、ＨＤＭＩ方式を用いてコンテンツの出力が行われるようにする。また、ユーザが移動した後（書斎２０にいるとき）には、ＨＤＤレコーダ４とＴＶ装置１との間の接続距離を考慮して、ＨＤＭＩ方式を用いてコンテンツの出力が行われるようにする。その場合、ＨＤＭＩ経由にて行うときには、最初の再生指示をＣＥＣ，ＩＲで行うか否かに関わらず、ＴＶ装置１が、ＣＥＣ経由にて現在の再生履歴情報７１ＨＤＤレコーダ４に対して問い合わせ、その問い合わせに対する回答により得られた再生履歴情報７１を保存するようにする。
【００９９】
また、その後、ユーザが移動した部屋（書斎２０）において続き再生処理を行う際には、まず、ＴＶ装置２は、最新の再生履歴情報７１を取得し、どの装置からどのコンテンツのどの部分を再生するかを決定する。そして、次にＴＶ装置２は、装置情報６における接続方式情報６１を用いて、この場合、ＨＤＤレコーダ４からネットワーク経由にて、ＴＶ装置２に対してコンテンツの出力がなされるようにすることを決定する。なお、現状のＣＥＣでは、再生中のコンテンツについての番組名や再生時間等の情報を取得できるようになっていないため、その場合、例えば「ＶｅｎｄｅｒＳｐｅｃｉｆｉｃ命令」として実装する必要がある。
【０１００】
ここで、ＨＤＭＩ経由にてＭＡＣアドレスおよびＵＵＩＤを取得しようとした場合には、コマンドをベンダ独自の拡張命令として実装しなければならず、互換性に問題を生じるおそれがある。このとき、ＨＥＣを利用してそれらの情報を取得する際には、取得したＵＵＩＤがＤＬＮＡ再生時（Ethernet（登録商標）接続時）のＵＵＩＤと同一であれば、同一装置であると判断することができる。また、そのとき、そのＵＵＩＤをもつＭＡＣアドレスがどのポートに存在しているのかは、ＨＤＭＩ １．４の規格上、装置側で把握しているため、装置情報６が記載されたテーブルを用いて判別することができる。すなわち、コンテンツの再生に必要な情報はＨＥＣ経由で取得し、ポートを判別した上で該当するポートに対してＣＥＣコマンドで再生を指示することにより、特殊な命令を定義しなくても必要な動作を実現することができる。
【０１０１】
以上のことから、本実施の形態では、具体的には、第１の実施の形態で説明した図３中のステップＳ２０６〜Ｓ２１１、および図８，図９中に示したステップＳ５１６〜Ｓ５１８の各処理を行うことにより、続き再生処理を実現する。
【０１０２】
あるいは、この図９中に示したステップＳ５１６，Ｓ５１７の代わりに、例えば図１８中に示したステップＳ５２１〜５２６の各処理を行うようにしてもよい。
【０１０３】
すなわち、まず、前述したように接続方式がＨＤＭＩであると判断された場合（ステップＳ５０９：Ｙ）、次にＴＶ装置２は、このＨＤＭＩがＨＥＣに対応しているか否かを判断する（ステップＳ５２１）。そして、ＨＥＣに対応していると判断した場合（ステップＳ５２１：Ｙ）、ＴＶ装置２はまず、装置情報６に記載されているＭＡＣアドレスを抽出する（ステップＳ５２２）。次いで、ＴＶ装置２は、そのＭＡＣアドレスに対応するポートを検索し（ステップＳ５２３）、検索されたポートに対して続き再生処理を指示する（ステップＳ５２４）。
【０１０４】
一方、ＨＥＣに対応していないと判断した場合（ステップＳ５２１：Ｎ）、ＴＶ装置２はまず、各ポートに対し、ＣＥＣ経由にてＵＵＩＤを問い合わせる（ステップＳ５２５）。そして、ＴＶ装置２は、ＵＵＩＤが一致したポートに対して、続き再生処理を指示する（ステップＳ５２６）。
【０１０５】
以上のように本実施の形態では、ＴＶ装置１等が、ＨＤＤレコーダ４と自身との間の接続距離を考慮して、ネットワーク方式およびＨＤＭＩ方式のうちの一方を選択してコンテンツの出力が行われるようにしたので、続き再生処理の利用の際の自由度を向上させ、ユーザの利便性を高めることが可能となる。
【０１０６】
＜変形例＞
次に、上記第１〜第４の実施の形態に共通の変形例（変形例１〜３）について説明する。なお、以下では、第１〜第４の実施の形態と同一の構成要素については同一符号を付してその説明を適宜省略する。
【０１０７】
［変形例１］
図１９は、変形例１に係るコンテンツの続き再処理の概要を流れ図で表わしたものである。なお、本変形例の基本的な動作は上記第１の実施の形態と同様であるため、第１の実施の形態と同一の構成要素（処理）については同一符号を付してそれらの説明を省略する。
【０１０８】
本変形例では、これまで説明した場合とは異なり、ユーザ情報７２と対応付けられてなる再生履歴情報７１と、接続方式情報６１を含む装置情報６とをそれぞれ、ＴＶ装置１等ではなく、ＨＤＤレコーダ４内のメモリ４２へ保持するようになっている。したがって、本変形例ではメモリ４２が、本発明における「再生情報記憶部」および「装置情報記憶部」の一具体例に対応する。
【０１０９】
具体的には、ステップＳ３０２において、ＴＶ装置１のユーザ検出部１１がユーザを検出すると、本変形例では、次にＴＶ装置１は、そのユーザのユーザ情報７２を、ＨＤＤレコーダ４へ出力する（ステップＳ３３１）。そして、このユーザ情報７２は、ＨＤＤレコーダ４内のメモリ４２に記録・保持される。また、その後、ユーザがリビングルーム１０から退出して（ステップＳ３０９）、ＴＶ装置１からＨＤＤレコーダ４へコンテンツ再生の中断命令がなされると（ステップＳ３１１）、本変形例では、ＨＤＤレコーダ４がメモリ４２へ再生履歴情報を保持する（ステップＳ３３２）。
【０１１０】
更に、その後、ユーザが書斎２０へ移動し、ＴＶ装置２のユーザ検出部１１がそのユーザを検出すると（ステップＳ３１４）、本変形例では、ＴＶ装置１ではなくＨＤＤレコーダ４に対して、そのユーザの再生履歴情報７１の問い合わせを行う（ステップＳ３３３）。そして、ＨＤＤレコーダ４が、この再生履歴情報７１の問い合わせに対する回答をＴＶ装置２に対して行うことになる（ステップＳ３３４）。
【０１１１】
このようにして本変形例では、ユーザ情報７２と対応付けられてなる再生履歴情報７１と、接続方式情報６１を含む装置情報６とをそれぞれ、ＨＤＤレコーダ４内へ保持するようにしたので、ＨＤＭＩ接続等のローカル接続の際に、ＴＶ装置において再生履歴情報７１等の情報を取得する機能を有していない場合（装置）であっても、これらの情報をローカル（再生装置内）に保持することにより、これまでの説明と同様の続き再生処理を実現することが可能となる。
【０１１２】
［変形例２］
また、上記変形例とは更に異なり、本変形例（変形例２）のように、出力装置（ここではＴＶ装置１，２，３）側において各ユーザのユーザ情報７２を記憶（保持）すると共に、再生装置（ここではＨＤＤレコーダ４）側において再生履歴情報７１を記憶（保持）するようにしてもよい。
【０１１３】
そのように構成した場合、ユーザ情報７２（個人情報）を、出力装置（ＴＶ装置）から外部（再生装置）へ出力することがなくなるため、個人情報の外部流出に関する安全性を高めることが可能となる。
【０１１４】
［変形例３］
更に、これまで説明した例では、コンテンツの再生を中断した時点（再生履歴情報７１の記憶時点）から、そのコンテンツの続き再生処理が行われる場合について説明したが、以下のようにしてもよい。すなわち、本変形例（変形例３）のように、再生履歴情報７１の記憶時から所定時間遡って続き再生が開始されるように、ＴＶ装置１等がＨＤＤレコーダ４に対して再生命令を行うようにしてもよい。
【０１１５】
具体的には、例えば、ある一定時間のユーザ不在確認後、再生履歴情報７１を取得して再生を中断した時間としては、ユーザ不在を確認するために使用した（一定）時間を差し引いて（遡って）、再生中断時間としてもよい。また、例えば、続き再生処理を開始したときの内容の繋がりがスムーズになされるように、再生履歴情報７１の記憶時から所定時間遡って続き再生が開始されるようにしてもよい。
【０１１６】
ここで、続き再生時の再生再開位置の選択方法としては、例えば、以下の（１）〜（３）の３つの手法が考えられる。
（１）再生中断位置から予め定められた一定時間遡って続き再生を行う
（２）再生中断位置の１つ前のチャプタから続き再生を行う
（３）画像や音声の解析を行い、再生中断前の盛り上がっているポイント（例えば、サッカーや野球の場合における得点シーン等）から続き再生を行う
【０１１７】
（その他の変形例）
以上、いくつかの実施の形態および変形例を挙げて本発明を説明したが、本発明はこれらの実施の形態等に限定されず、種々の変形が可能である。
【０１１８】
例えば、上記実施の形態で説明した各情報（装置情報、ユーザ情報、再生履歴情報など）の内容や種類はそれぞれ、上記実施の形態で説明したものには限られず、他の内容や種類のものを用いるようにしてもよい。
【０１１９】
また、上記実施の形態等で説明したＴＶ装置およびＨＤＤレコーダの各ブロック構成は、上記実施の形態等で示したものには限られず、他のブロック構成のものを用いるようにしてもよい。更に、各装置間の接続方式や接続の仕方については、上記実施の形態等で説明したものには限られず、他の接続方式や接続の仕方を用いるようにしてもよい。
【０１２０】
加えて、上記実施の形態では、本発明における「再生装置」の一例としてＨＤＤレコーダを挙げて説明すると共に、「出力装置」の一例としてＴＶ装置を挙げて説明したが、本発明が適用されるのはこの場合には限られない。具体的には、「再生装置」として、例えばＨＤＤプレーヤやＤＶＤ（Digital Versatile Disc）レコーダ、ＤＶＤプレーヤ等を用いるようにしてもよい。また、「出力装置」としては、例えば、ＴＶ装置以外の映像の表示装置（例えばＰＣ（Personal Computer）のモニタ等）や、音声の出力装置（例えばスピーカ等）を用いるようにしてもよい。これらの場合においても、上記実施の形態等と同様の効果を得ることが可能である。
【０１２１】
本発明のコンテンツ再生システム（再生装置および出力装置）における各処理は、ハードウェア（回路）により実現してもよく、あるいはソフトウェア（プログラム）により実現してもよい。後者の場合、そのソフトウェアは、各処理の機能を各装置におけるコンピュータにより実行させるためのプログラム群で構成される。各プログラムは、例えば、専用のハードウェアに予め組み込まれて用いられてもよいし、汎用のパーソナルコンピュータなどにネットワークや記録媒体からインストールして用いられてもよい。
【符号の説明】
【０１２２】
１，２，３…ＴＶ装置、４…ＨＤＤレコーダ、５，５Ａ…コンテンツ再生システム、１０…リビングルーム、２０…書斎、３０…寝室、１１…ユーザ検出部、１２，４２…メモリ、１３，４３…画像処理部、１４…表示部、４４…ＨＤＤ、１５，４５…制御部、１６，４６…ネットワーク端子、１７，４７…ＨＤＭＩ端子、６…装置情報、６１…接続方式情報、７１…再生履歴情報、７２…ユーザ情報。
【図１】
2011239244.tif 000003
【図２】
2011239244.tif 000004
【図３】
2011239244.tif 000005
【図４】
2011239244.tif 000006
【図５】
2011239244.tif 000007
【図６】
2011239244.tif 000008
【図７】
2011239244.tif 000009
【図８】
2011239244.tif 000010
【図９】
2011239244.tif 000011
【図１０】
2011239244.tif 000012
【図１１】
2011239244.tif 000013
【図１２】
2011239244.tif 000014
【図１３】
2011239244.tif 000015
【図１４】
2011239244.tif 000016
【図１５】
2011239244.tif 000017
【図１６】
2011239244.tif 000018
【図１７】
2011239244.tif 000019
【図１８】
2011239244.tif 000020
【図１９】
2011239244.tif 000021